(57)【特許請求の範囲】
【請求項１】
室外機に電装品ユニットを内蔵する空気調和機の電装品取付構造であって、
上記電装品ユニットは、電装品箱と、該電装品箱に内蔵されたプリント基板とを備え、
上記電装品箱は、上記室外機の電装品箱取付部に取付けられたベース部材と、該ベース部材よりも上記室外機の外板寄りに配置されたカバー部材と、上記ベース部材と上記カバー部材とのスライドによる係合を可能とする着脱手段とを有し、
上記ベース部材と上記カバー部材とのスライド方向は上下方向であり、
上記カバー部材は、上側の第１カバーと下側の第２カバーとを備え、
上記第１カバーの上記ベース部材に対するスライド装着方向は下向きであり、上記第２カバーの上記ベース部材に対するスライド装着方向は上向きであり、
上記第１カバー及び上記第２カバーが上記ベース部材に装着された状態で該第１カバーと該第２カバーとを相互に結合させる上下カバー結合手段をさらに備え、
上記着脱手段は、上記ベース部材と上記第１カバーの何れか一方に設けられてスライド方向に延びる第１係合突起と、上記ベース部材と上記第１カバーの何れか他方に設けられて上記第１係合突起をスライド方向に受容する第１受容部と、上記ベース部材と上記第２カバーの何れか一方に設けられてスライド方向に延びる第２係合突起と、上記ベース部材と上記第２カバーの何れか他方に設けられて上記第２係合突起をスライド方向に受容する第２受容部と、を備え、
上記第１カバーを下向きにスライドさせて上記第１係合突起が上記第１受容部に受容されることにより、上記ベース部材に対する上記第１カバーの上下方向の移動のうちの下方への移動のみが規制され、
上記第２カバーを上向きにスライドさせて上記第２係合突起が上記第２受容部に受容されることにより、上記ベース部材に対する上記第２カバーの上下方向の移動のうちの上方への移動のみが規制され、
上記カバー結合手段によって上記第１カバーと上記第２カバーとを相互に結合させることにより、上記ベース部材に対する上記第１カバーの上方への移動が規制されるとともに上記ベース部材に対する上記第２カバーの下方への移動が規制される、空気調和機の電装品取付構造。
【請求項２】
上記ベース部材は、上記第２カバー装着状態で少なくとも該第２カバーが自重で落下しない強さの規制力で該第２カバーを支持する第２カバー支持手段を備えることを特徴とする請求項１記載の空気調和機の電装品取付構造。
【請求項３】
上記第２カバーに、上記電装品ユニットの完成状態で、作業者が該電装品ユニットを把持し得る取手または取手相当物が設けられていることを特徴とする請求項１又は２に記載の空気調和機の電装品取付構造。
【請求項４】
上記取手相当物として、上記プリント基板の外部接続端子が集中配置された端子台が設けられていることを特徴とする請求項３記載の空気調和機の電装品取付構造。
【請求項５】
室外機に電装品ユニットを内蔵する空気調和機の電装品取付構造であって、
上記電装品ユニットは、電装品箱と、該電装品箱に内蔵されたプリント基板とを備え、
上記電装品箱は、上記室外機の電装品箱取付部に取付けられたベース部材と、該ベース部材よりも上記室外機の外板寄りに配置されたカバー部材と、上記ベース部材と上記カバー部材とのスライドによる係合を可能とする着脱手段とを有し、
上記ベース部材と上記カバー部材とのスライド方向は上下方向であり、
上記カバー部材は、上側の第１カバーと下側の第２カバーとを少なくとも備え、
上記第１カバーの上記ベース部材に対するスライド装着方向は下向きであり、上記第２カバーの上記ベース部材に対するスライド装着方向は上向きであり、
上記第２カバーに、上記電装品ユニットの完成状態で、作業者が該電装品ユニットを把持し得る取手または取手相当物が設けられており、
上記取手相当物として、上記プリント基板の外部接続端子が集中配置された端子台が設けられていることを特徴とする空気調和機の電装品取付構造。
【請求項６】
上記着脱手段は、上記ベース部材と上記カバー部材の何れか一方に設けられてスライド方向に延びる係合突起と、他方に設けられて上記係合突起をスライド方向に受容する突起受容部とを備えることを特徴とする請求項５に記載の空気調和機の電装品取付構造。
【発明の詳細な説明】
【技術分野】
【０００１】
本発明は、空気調和機の室外機に内蔵される電装品ユニットの取付構造に関し、特に電装品ユニットの電装品箱の構造に関する。
【背景技術】
【０００２】
従来、電装品ユニットを備えた空気調和機の室外機として、例えば特許文献１に示すものが知られている。特許文献１に示される室外機は、その内部が仕切板によって送風機室と機械室とに仕切られている。送風機室には熱交換器や室外ファンが設置され、機械室には圧縮機や電装品ユニットが設置されている。
【０００３】
電装品ユニットにはマイコン等が実装されたプリント基板（以下Ｐ板ともいう）や各種電気部品が設けられている。これらは必要に応じて電装品箱に格納されている。
【０００４】
一方、運用中の室外機の電装品ユニットに対して、Ｐ板やハーネスの交換等を目的とするサービスメンテナンス（以下メンテナンスと略称する）が施される場合がある。従来、電装品箱を有する電装品ユニットのメンテナンス時、作業者が一旦室外機から電装品箱ごと電装品ユニットを取出し、電装品箱を開けて内部のＰ板等にアクセス（到達・接触）するという手順が採られていた。
【特許文献１】特開２００５−７６９２３号公報
【発明の開示】
【発明が解決しようとする課題】
【０００５】
しかしながら、一般に室外機は小型であることが求められるので、内蔵部品、特に機械室の内臓部品は可及的に隙間なく配置される。従って電装品箱の周囲には取外し工具を入れる隙間がないことが多く、天板その他の外板の取外しが必要となる等、メンテナンス時の電装品箱の取外し作業が煩雑であった。
【０００６】
また、必ずしも電装品箱を取出さなくても、その中のＰ板等にアクセスするだけで用が足りる場合もある。しかしそのような場合であっても、電装品箱を開けるにはやはり工具が必要で、その工具を入れる隙間がないために結局は電装品箱ごと電装品ユニットを取出さざるを得ないというのが実情であった。
【０００７】
単純にこの問題を解決するには、電装品箱の周囲に工具を入れる充分な隙間を確保すれば良い。しかしそれでは機械室、ひいては室外機の大型化を招くので望ましくない。
【０００８】
本発明は上記事情に鑑み、コンパクトでありながらメンテナンス作業を容易化することができる空気調和機の電装品取付構造を提供することを目的とする。
【課題を解決するための手段】
【０００９】
上記課題を解決するため、本発明の請求項１は、室外機に電装品ユニットを内蔵する空気調和機の電装品取付構造であって、上記電装品ユニットは、電装品箱と、該電装品箱に内蔵されたプリント基板とを備え、上記電装品箱は、上記室外機の電装品箱取付部に取付けられたベース部材と、該ベース部材よりも上記室外機の外板寄りに配置されたカバー部材と、上記ベース部材と上記カバー部材とのスライドによる係合を可能とする着脱手段とを有し、上記ベース部材と上記カバー部材とのスライド方向は上下方向であり、上記カバー部材は、上側の第１カバーと下側の第２カバーとを備え、上記第１カバーの上記ベース部材に対するスライド装着方向は下向きであり、上記第２カバーの上記ベース部材に対するスライド装着方向は上向きであり、上記第１カバー及び上記第２カバーが上記ベース部材に装着された状態で該第１カバーと該第２カバーとを相互に結合させる上下カバー結合手段をさらに備え、上記着脱手段は、上記ベース部材と上記第１カバーの何れか一方に設けられてスライド方向に延びる第１係合突起と、上記ベース部材と上記第１カバーの何れか他方に設けられて上記第１係合突起をスライド方向に受容する第１受容部と、上記ベース部材と上記第２カバーの何れか一方に設けられてスライド方向に延びる第２係合突起と、上記ベース部材と上記第２カバーの何れか他方に設けられて上記第２係合突起をスライド方向に受容する第２受容部と、を備え、上記第１カバーを下向きにスライドさせて上記第１係合突起が上記第１受容部に受容されることにより、上記ベース部材に対する上記第１カバーの上下方向の移動のうちの下方への移動のみが規制され、上記第２カバーを上向きにスライドさせて上記第２係合突起が上記第２受容部に受容されることにより、上記ベース部材に対する上記第２カバーの上下方向の移動のうちの上方への移動のみが規制され、上記カバー結合手段によって上記第１カバーと上記第２カバーとを相互に結合させることにより、上記ベース部材に対する上記第１カバーの上方への移動が規制されるとともに上記ベース部材に対する上記第２カバーの下方への移動が規制されることを特徴とする。
【００１０】
請求項２の発明は、請求項１記載の空気調和機の電装品取付構造において、上記ベース部材は、上記第２カバー装着状態で少なくとも該第２カバーが自重で落下しない強さの規制力で該第２カバーを支持する第２カバー支持手段を備えることを特徴とする。
【００１１】
請求項３の発明は、請求項１又は２に記載の空気調和機の電装品取付構造において、上記第２カバーに、上記電装品ユニットの完成状態で、作業者が該電装品ユニットを把持し得る取手または取手相当物が設けられていることを特徴とする。
【００１２】
請求項４の発明は、請求項３記載の空気調和機の電装品取付構造において、上記取手相当物として、上記プリント基板の外部接続端子が集中配置された端子台が設けられていることを特徴とする。
【００１３】
請求項５の発明は、室外機に電装品ユニットを内蔵する空気調和機の電装品取付構造であって、上記電装品ユニットは、電装品箱と、該電装品箱に内蔵されたプリント基板とを備え、上記電装品箱は、上記室外機の電装品箱取付部に取付けられたベース部材と、該ベース部材よりも上記室外機の外板寄りに配置されたカバー部材と、上記ベース部材と上記カバー部材とのスライドによる係合を可能とする着脱手段とを有し、上記ベース部材と上記カバー部材とのスライド方向は上下方向であり、上記カバー部材は、上側の第１カバーと下側の第２カバーとを少なくとも備え、上記第１カバーの上記ベース部材に対するスライド装着方向は下向きであり、上記第２カバーの上記ベース部材に対するスライド装着方向は上向きであり、上記第２カバーに、上記電装品ユニットの完成状態で、作業者が該電装品ユニットを把持し得る取手または取手相当物が設けられており、上記取手相当物として、上記プリント基板の外部接続端子が集中配置された端子台が設けられていることを特徴とする。
【００１４】
請求項６の発明は、請求項５に記載の空気調和機の電装品取付構造において、上記着脱手段は、上記ベース部材と上記カバー部材の何れか一方に設けられてスライド方向に延びる係合突起と、他方に設けられて上記係合突起をスライド方向に受容する突起受容部とを備えることを特徴とする。
【発明の効果】
【００１５】
請求項１の発明によると、以下説明するように、コンパクトな構造でありながらメンテナンス作業を容易化することができる。
【００１６】
本発明の構成では、電装品箱がベース部材とカバー部材とを備え、その中にＰ板が格納される。カバー部材が室外機の外板寄りに配置されているので、作業者はメンテナンス作業時、最小限の外板とカバー部材とを取外すだけでＰ板にアクセスすることができ、必要に応じてＰ板やハーネスの交換等を容易に行うことができる。
【００１７】
また、ベース部材とカバー部材とがスライド（滑動）による係合を可能とする着脱手段で係合されているので、作業者はカバー部材をベース部材に対してスライドさせることにより取外すことができる。つまりその取外しに工具を必要としないので、電装品箱の周囲に工具を入れる隙間がなくても作業者は容易にカバー部材を取外すことができる。
【００１８】
なお、ベース部材とカバー部材との結合は、必ずしも上記着脱手段のみによるものである必要はない。通常、機械室は外板で覆われているので、作業者が電装品ユニットにアクセスするには最小限の外板を取外す必要がある。その外板を取外した結果、工具を入れる隙間が充分得られるような箇所には必ずしも上記着脱手段を設けなくても良い。例えば上記最小限の外板が前板である場合、これを取外すと前面には充分な隙間（空間）ができるから、そこから工具をアクセスさせるような結合形態であれば、工具が必要であってもあまり作業が煩雑にならない。
【００１９】
換言すれば、最小限の外板を取外してもなお工具を入れる隙間が確保されないような箇所（上記前板の例では例えば電装品箱の側面）の結合に、上記着脱手段を用いるのが最も効果的である。
【００２０】
このように、工具の入る隙間もない程度にコンパクトに（スペース効率良く）電装品箱が配置されていても、作業者は容易にＰ板にアクセスし、メンテナンス作業を行うことができる。
【００２１】
また、以下説明するように上記着脱手段を汎用性の高いものとすることができる。
【００２２】
一般的に電装品箱は、上下方向に比べて左右方向の隙間が狭いレイアウトとされる場合が多い。その場合、カバー部材のスライド方向は、左右方向よりも上下方向である方が着脱し易く好適である。つまりスライド方向を上下とすることにより、多くの室外機においてそのスライド方向を好適な方向とすることができる。
【００２３】
また、カバー部材が上側（第１カバー）と下側（第２カバー）とに少なくとも２分割されている構造において、以下説明するように、第１、第２カバーの着脱独立性を高めることができる。
【００２４】
本発明の構成によれば、第１カバーのベース部材に対するスライド装着方向は下向きであり、第２カバーのベース部材に対するスライド装着方向は上向きである。従って第１、第２カバーは、装着時には上下から互いに接近する方向にスライドされ、取外し時には上下に互いに離反する方向にスライドされる。このため、装着および取外し時に互いに干渉しないようにスライドさせ易く、また装着および取外し順序の自由度も高くなる。さらにメンテナンス作業時、何れか一方のみを着脱すれば用が足りる場合、そのようにすることも容易である。
【００２５】
このように、本発明の構成によれば、第１カバーと第２カバーとを互いに独立して着脱することが容易となる、つまり着脱独立性を高めることができる。
【００２６】
請求項２の発明によると、以下説明するように、第２カバーの自重落下を防止することができる。
【００２７】
本発明の構成において、第２カバーのベース部材に対するスライド装着方向が上向きなので、第２カバーはベース部材に装着された後、何らかの支持がなければ自重で下方にスライドして落下してしまう。本発明によれば、第２カバー装着状態で少なくとも第２カバーが自重で落下しない強さの規制力で第２カバーを支持する第２カバー支持手段が設けられているので、その規制力によって第２カバーの自重落下が防止される。
【００２８】
第２カバー支持手段のみが第２カバーの落下を防止する恒久的な手段である場合、上記規制力は、室外機の輸送時の振動等にも耐えられるような比較的強いものである必要がある。
【００２９】
一方、第２カバー支持手段が一時的な仮止めであって、別途恒久的な落下防止策を講じる場合、上記規制力は比較的弱い規制力（自重ないしはそれよりやや強い力）で足りる。従って作業者は上記比較的弱い規制力に抗する程度の弱い力で容易に第２カバーを着脱することができる。
【００３０】
請求項１の発明によると、以下説明するように、第１、第２カバーの高い着脱独立性を維持しつつ、これらを簡単な構造で相互に且つベース部材に結合することができる。
【００３１】
上記で述べたように、本発明の構成において第１、第２カバーは高い着脱独立性を有する。これらを着脱手段以外の別途手段でベース部材に結合させるには、一般的には第１カバー用の結合手段と第２カバー用の結合手段とが必要であると考えられる。
【００３２】
その点、本発明の上下カバー結合手段は、第１カバー及び第２カバーがベース部材に装着された状態で、第１カバーと第２カバーとを相互に結合させる。上述したように、ベース部材から第１カバーまたは第２カバーを取外すには、第１カバーと第２カバーとが互いに離反する方向にスライドさせる必要がある。換言すれば、その離反を規制することにより、第１カバー及び第２カバーの双方のスライドを規制し、結果的に双方をベース部材に結合させることができる。
【００３３】
本発明の上下カバー結合手段は、このように第１カバーと第２カバーとを結合させるという簡単な構造で互いの結合を図ると共に、別途専用のベース部材への結合手段を用いることなく、第１カバー及び第２カバーをベース部材に対しても結合させることができる。
【００３４】
なお上下カバー結合手段は、必ずしも工具不要の結合形態である必要はない。上下カバー結合手段が工具を必要とする結合形態であっても、最小限の外板を取外した結果、その工具を入れる隙間（空間）が確保されるような場合（例えば最小限の外板が前板であって、工具を前方からアクセスさせる場合）には、その結合または離脱作業にあまり煩雑性を伴わないからである。
【００３５】
請求項３の発明によると、以下説明するように、電装品ユニットの着脱作業性を安全に高めることができる。
【００３６】
室外機の製造時には、前工程で電装品ユニットを組立てておき、その電装品箱を室外機の電装品箱取付部に取付けるのが効率的である。またメンテナンス時においても、何らかの理由で電装品ユニットを電装品箱ごと着脱する必要が生じる場合がある。これらの場合、本発明のように第２カバーに取手または取手相当物（以下取手等という）が設けられていると、作業者はその取手等を把持して電装品箱の着脱作業を行うことができるので、作業性を高めることができる。
【００３７】
また、作業者が取手等を把持して電装品ユニットを支持したとき、電装品ユニットの重量は第２カバーにかかる。第２カバーのベース部材に対するスライド装着方向が上向きであることから、第２カバーに作用する電装品ユニットの重量は、相対的に第２カバー装着方向にかかる。したがって、作業者が取手等を把持したとき、第２カバー以外の部分が自重で下方スライドして落下する虞がなく、安全である。
【００３８】
請求項４の発明によると、端子台を取手相当物に兼用することにより、別途専用の取手等を設ける必要がなく、電装品ユニットの部品点数削減や小型軽量化を図ることができる。
【００３９】
請求項６の発明によると、係合突起と突起受容部という簡単な構造で着脱手段を構成することができる。
【発明を実施するための最良の形態】
【００４０】
以下、添付図面を参照しながら本発明の好ましい実施の形態について説明する。図１は本発明に係る空気調和機１の室外機２の分解斜視図である。室外機２は空調室外に設けられ、空調室内に設けられた図外の室内機とともに空気調和機１を構成する。その室内機と室外機２とは図外の冷媒連絡配管を介して接続されている。
【００４１】
室外機２は略直方体のいわゆるトランク型であって、底板から立設された仕切板４によってその内部が送風機室３ａと機械室３ｂとに仕切られている。送風機室３ａには図略の熱交換器、室外ファンおよびその室外ファンを駆動するモータ等が格納されている。一方、機械室３ｂには冷媒を圧縮する圧縮機１５や電装品ユニット１０が設けられている。電装品ユニット１０は、圧縮機１５や上記モータをはじめとする室外機２の運転を制御する制御ユニットである。
【００４２】
室外機２のケーシングのうち、機械室３ｂの前面に位置する右前板２ａ（外板）は着脱自在となっている。図１では右前板２ａを取外した状態を示している。
【００４３】
なお以下の説明において、前後左右の方向は、室外機２の設置状態において右前板２ａが設けられた面（前面）に正対して見た方向をいうものとする。
【００４４】
図２は電装品ユニット１０の正面図、図３は同左側面図、図４は同右側面図である。また図５は電装品ユニット１０の電装品箱２０の分解斜視図である。
【００４５】
電装品ユニット１０は、その主要な構成部品を格納する電装品箱２０を有する。図５に示すように、電装品箱２０はベース部材３０とカバー部材４０とからなる。さらにカバー部材４０は上側の第１カバー４１と下側の第２カバー４２とで構成されている。
【００４６】
ベース部材３０は仕切板４（電装品箱取付部）に取付けられている。そしてカバー部材４０はベース部材３０よりも手前側（機械室３ｂの右前板２ａ寄り）に設けられている。ベース部材３０とカバー部材４０とで形成される内部空間内に、Ｐ板３７（プリント基板）が格納されている。Ｐ板３７は前方からのビス止めによってＰ板取付板３５に固定されている。そしてＰ板取付板３５はベース部材３０に固定されている。すなわちＰ板３７はＰ板取付板３５を介してベース部材３０に取付けられている。Ｐ板３７は電装品ユニット１０の電気回路の中核をなす部品であって、運転制御を行うＩＣ等の電子部品や各種の電気素子が実装されている。
【００４７】
その他一部の電気部品８０が第１カバー４１の外側に取付けられ、Ｐ板３７の外部接続端子が集中配置された端子台６０が第２カバー４２の外側に取付けられている。端子台６０はブロック状であり、組付状態で電装品箱２０の前面から突出している。
【００４８】
図３及び図４に示すように、電装品箱２０の側面にはベース部材３０にカバー部材４０を着脱させる着脱手段として、係合部５０が設けられている。係合部５０は、ベース部材３０とカバー部材４０とのスライドによる係合を可能にする。
【００４９】
係合部５０は、詳しくはベース部材３０と第１カバー４１とを係合させる第１係合部５１と、ベース部材３０と第２カバー４２とを係合させる第２係合部５２とからなる。図３に示すように、電装品箱２０の左側面には２箇所の第１係合部５１と２箇所の第２係合部５２とが設けられている。また図４に示すように、電装品箱２０の右側面には１箇所の第１係合部５１が設けられている。
【００５０】
第１係合部５１は、ベース部材３０に対して第１カバー４１を下向きにスライド装着可能とする。取外すときには上向きにスライド離脱可能とする。逆に第２係合部５２は、ベース部材３０に対して第２カバー４２を上向きにスライド装着可能とする。取外すときには下向きにスライド離脱可能とする。
【００５１】
次に図５を参照して電装品箱２０の詳細構造について説明する。上述のように電装品箱２０は主にベース部材３０、第１カバー４１及び第２カバー４２で構成され、これらは何れも金属製のプレス成形品である。
【００５２】
ベース部材３０は、主板面である後面３０ｃと、その左右端が前方に折曲げられた左側面３０ａ及び右側面３０ｂとを有する。左側面３０ａ、右側面３０ｂ及び後面３０ｃは、それぞれ組立状態で電装品箱２０の左側面、右側面及び後面を構成する。
【００５３】
後面３０ｃに対し左側面３０ａは鈍角（１２０〜１３０°）に、右側面３０ｂは略直角に折り曲げられている。左側面３０ａ及び右側面３０ｂの一部がそれぞれ後方に折返されて一対のフック部３１，３１が形成されている。フック部３１は、ベース部材３０ひいては電装品箱２０を仕切板４に取付けるための部分であり、仕切板４の対応する位置に引掛けられるように鉤状に成形されている。
【００５４】
第１カバー４１は、カバー部材４０の上側を構成する部材である。第１カバー４１は、主板面である前面４１ｃと、その左右端が後方に折曲げられた左側面４１ａ及び右側面４１ｂと、前面４１ｃの上端が後方に折曲げられた上面４１ｄとを有する。上面４１ｄの一部が上方に折曲げられて取付フランジ４１ｅが形成されている。取付フランジ４１ｅは組立状態の電装品箱２０を仕切板４にビス止めするための座金となる。
【００５５】
左側面４１ａ及び右側面４１ｂは、それぞれ組立状態でベース部材３０の左側面３０ａ及び右側面３０ｂと重合し、電装品箱２０の左側面及び右側面を構成する。
【００５６】
第２カバー４２は、カバー部材４０の下側を構成する部材である。但し正面視で一部第１カバー４１と重なっている。第２カバー４２は、主板面である端子台取付面４２ｃと、その左右端が後方に折曲げられた左側面４２ａ及び右側面４２ｂとを有する。端子台取付面４２ｃは端子台６０を第２カバー４２に取付けるための面であって、組立状態で第１カバー４１の前面４１ｃに対し平面視で左側に傾斜している。
【００５７】
左側面４２ａは組立状態でベース部材３０の左側面３０ａと重合し、電装品箱２０の左側面を構成する。
【００５８】
右側面４２ｂの一部は折曲げられて座金部４３となっている。座金部４３にはネジ４８ａを通すための通し穴４４が設けられている。座金部４３は組立状態で第１カバー４１の前面４１ｃに重合する。第１カバー４１の、通し穴４４に対応する位置にはネジ穴４８ｂが形成されている。座金部４３と第１カバー４１とが通し穴４４を通されたネジ４８ａで結合される。すなわちネジ４８ａとネジ穴４８ｂとからなる螺合部４８は、第１カバー４１及び第２カバー４２がベース部材３０に装着された状態で第１カバー４１と第２カバー４２とを相互に結合させる上下カバー結合手段となっている。
【００５９】
また端子台取付面４２ｃの左下方には取付フランジ４２ｄが形成されている。取付フランジ４２ｄは組立状態の電装品箱２０を仕切板４にビス止めするための座金となる。
【００６０】
ところで、第１カバー４１の左側面４１ａに２箇所、右側面４１ｂに１箇所、合計３箇所に下方に延びる第１係合突起５３ａが形成されている。また第２カバー４２の左側面４２ａの２箇所に、上方に延びる第２係合突起５３ｂが形成されている。以下第１，第２係合突起５３ａ，５３ｂを総称するときは係合突起５３という。
【００６１】
一方、組立状態で各係合突起５３に対応する位置の、ベース部材３０の左側面３０ａ及び右側面３０ｂには係合突起５３を受容する突起受容部５４が形成されている。突起受容部５４は詳しくは、第１係合突起５３ａに対応する第１受容部５４ａと、第２係合突起５３ｂに対応する第２受容部５４ｂとからなる。
【００６２】
そして第１係合突起５３ａと第２受容部５４ｂとが対をなして第１係合部５１を構成し、第２係合突起５３ｂと第２受容部５４ｂとが対をなして第２係合部５２を構成する。
【００６３】
各突起受容部５４は、スリット５５と絞り部５６とで構成されている。スリット５５は、係合突起５３を通し得る長さで水平に形成された長穴である。絞り部５６はスリット５５の上または下に隣接し、絞り加工によって電装品箱２０の内向き又は外向きに膨出した部分である。第１受容部５４ａでは絞り部５６がスリット５５の下側に形成され、第２受容部５４ｂでは絞り部５６がスリット５５の上側に形成されている。また、ベース部材３０の左側面３０ａにおいては絞り部５６が電装品箱２０の内向きに膨出し、右側面３０ｂにおいては絞り部５６が電装品箱２０の外向きに膨出している。このような構成によって、第１受容部５４ａは上方開口のポケット状となり、第２受容部５４ｂは下方開口のポケット状となっている。
【００６４】
これに対し上述のように第１受容部５４ａに対応する第１係合突起５３ａは下方に延びているので、第１係合突起５３ａを上方から下方スライド（図５に矢印Ａ１で示す）させて第１受容部５４ａに挿入することにより、第１係合部５１の係合を達成することができる。また係合状態の第１係合部５１は、第１係合突起５３ａを上方スライドさせて第１受容部５４ａから離脱させることにより、その係合を解除することができる。
【００６５】
同様に、第２受容部５４ｂに対応する第２係合突起５３ｂは上方に延びているので、第２係合突起５３ｂを下方から上方スライドさせて（図５に矢印Ａ２で示す）第２受容部５４ｂに挿入することにより、第２係合部５２の係合を達成することができる。また係合状態の第２係合部５２は、第２係合突起５３ｂを下方スライドさせて第２受容部５４ｂから離脱させることにより、その係合を解除することができる。
【００６６】
図６はベース部材３０の左側面３０ａに設けられた第２受容部５４ｂ付近の斜視図（電装品箱２０の内側から見た図）であって、第２係合突起５３ｂを係合させる直前の状態を示す。また図７は図６に対応する図であって、第２係合突起５３ｂが係合した状態を示す。
【００６７】
図６に示すように、各第２受容部５４ｂの下方には、絞り部５６と同じ側に膨出された落下防止リブ３２（第２カバー支持手段）が絞り加工によって形成されている。図７に示すように落下防止リブ３２は、組立状態において第２係合突起５３ｂひいては第２カバー４２を下方から支持し、その脱落を防止する。
【００６８】
第２係合突起５３ｂは上方スライド（矢印Ａ２）によって第２受容部５４ｂと係合しているので、他に何らかの支持がなければ第２カバー４２の自重によってスライド離脱し、係合が解除されてしまう。その結果、第２カバー４２が落下する虞がある。落下防止リブ３２は、そのような自重による第２係合突起５３ｂのスライド離脱を規制する。なお本実施形態では第２カバー４２を恒久的に支持する他の手段（螺合部４８や取付フランジ４２ｄ）が設けられているので、落下防止リブ３２はそれらが機能するまでの仮止めとして作用する。従って落下防止リブ３２は比較的弱い規制力（自重ないしはそれよりやや強い力）で第２係合突起５３ｂを支持する。
【００６９】
第２係合突起５３ｂを第２受容部５４ｂに着脱させる際には、係合ガタ（係合させるための僅かな隙間）を利用してやや斜めから挿脱するか、落下防止リブ３２を乗り越える（左側面３０ａ又は第２係合突起５３ｂ自体を僅かに弾性変形させる）ようにして挿脱すれば良い。両者を併用しても良い。
【００７０】
次に、室外機２の製造方法及びメンテナンス方法について、特に電装品箱２０の組立／分解に関する作業を中心に説明する。
【００７１】
室外機２の製造時においては、予め電装品ユニット１０が組立てられる。すなわち、まずベース部材３０にＰ板取付板３５が取付けられ、Ｐ板取付板３５にＰ板３７が取付けられる。そしてベース部材３０の上方からは第１カバー４１が、下方からは第２カバー４２がそれぞれスライド装着される。その後、螺合部４８（ネジ４８ａとネジ穴４８ｂ）によって第１カバー４１と第２カバー４２とが相互に結合される。こうして電装品箱２０の組立が完了する。そしてこれらの工程の間、適宜時期に電気部品８０や端子台６０等が電装品箱２０の内外に取付けられ、電装品ユニット１０の組立が完了する。
【００７２】
以上の組立工程において、上側の第１カバー４１が下方スライド装着（図５の矢印Ａ１）、下側の第２カバー４２が上方スライド装着（同矢印Ａ２）なので、互いに干渉しないようにスライド装着させ易く、また装着順序の自由度も高い。
【００７３】
また螺合部４８は、直接的には第１カバー４１と第２カバー４２とを結合させるものであるが、これは第１カバー４１と第２カバー４２とが互いに離反することを禁止している。換言すれば、第１カバー４１と第２カバー４２とが互いに他方が離脱方向にスライドすることを禁止している。このように、１つの螺合部４８によって第１カバー４１と第２カバー４２の双方がベース部材３０に結合される。
【００７４】
組立てられた電装品ユニット１０は、室外機２の組立工程において機械室３ｂ内に配置され立設された仕切板４に取付けられる。その際、端子台６０が前面に突出しているので、作業者はこの端子台６０を電装品ユニット１０を把持する取手相当物として利用することができる。従って組付作業性を高めることができる。また作業者が端子台６０を把持して電装品ユニット１０を支持したとき、電装品ユニット１０の重量は第２カバー４２にかかる。第２カバー４２のベース部材３０に対するスライド装着方向が上向きであることから、第２カバー４２に作用する電装品ユニット１０の重量は、相対的に第２カバー装着方向にかかる。したがって、作業者が端子台６０を把持したとき、第２カバー４２以外の部分が自重で下方スライドして落下する虞がなく、安全である。
【００７５】
電装品ユニット１０が仕切板４に取付けられた後、第１カバー４１の取付フランジ４１ｅ及び第２カバー４２の取付フランジ４２ｄが前方から仕切板４にビス止めされ、電装品ユニット１０の組付けが完了する。
【００７６】
また室外機２のメンテナンス時においては、作業者はまず右前板２ａを取外し、電装品ユニット１０を露出させる。そして、電装品ユニット１０を取出す必要がなく、カバー部材４０を取外して電装品箱２０内の部品にアクセスすれば足りる作業、例えばＰ板３７の交換等の場合は、カバー部材４０を取外す。具体的には、螺合部４８のネジ４８ａを取外し、さらに第１カバー４１の取付フランジ４１ｅを固定しているビス及び第２カバー４２の取付フランジ４２ｄを固定しているビスを取外す。これらを取外すための工具（ドライバ）は、外板２ａを取外したことによって生じた前面の空間から容易に入れることができる。
【００７７】
続いて作業者は、第１カバー４１を上方へスライドさせるとともに、第２カバー４２を下方へスライドさせてカバー部材４０を取外す。このように、電装品箱２０の側面に工具の必要なビス等がないので、側面に工具を入れる隙間が狭くても、カバー部材４０の取外しが容易である。特にベース部材３０の左側面３０ａが後面３０ｃに対して鈍角となっているので、この側面がビス止めされていると工具が極めて入れ難くなる（裏面側から工具をアクセスさせる必要があるため）。しかし本実施形態のようにスライド離脱させることにより、工具を用いることなく容易に取外すことができる。
【００７８】
しかもその取外しの際、第１カバー４１と第２カバー４２とが互いに離反する方向にスライドさせることになるので、互いに干渉しないようにスライド離脱させ易い。また取外し順序の自由度も高い。
【００７９】
なお、第１カバー４１と第２カバー４２のうち一方のみ取外せば用が足りる場合には、そのようにすることも可能である。その場合、スライド方向が互いに逆向きであるので一方のみを他方と干渉しないようにスライド離脱させることが容易である。
【００８０】
こうして作業者は容易にカバー部材４０を取外した後、必要なメンテナンス作業を行うことができる。その後は、取外しと逆の作業によって容易にカバー部材４０を取付け、最後に右前板２ａを取付けてメンテナンス作業を効率良く完了することができる。
【００８１】
以上、本発明の実施形態について説明したが、本発明は上記実施形態に限定するものではなく、特許請求の範囲内で適宜変更が可能である。
【００８２】
例えば、スライド方向は必ずしも上下方向に限定するものではなく、必要に応じて左右その他任意の方向にスライドさせて良い。
【００８３】
またカバー部材４０は必ずしも２分割されていなくても良い。或いは３つ以上に分割されていても良い。
【００８４】
係合部５０を設ける位置や数については適宜変更しても良い。
【図面の簡単な説明】
【００８５】
【図１】本発明に係る空気調和機の室外機の分解斜視図である。
【図２】上記室外機の電装品ユニットの正面図である。
【図３】上記電装品ユニットの左側面図である。
【図４】上記電装品ユニットの右側面図である。
【図５】上記電装品ユニットの電装品箱の分解斜視図である。
【図６】上記電装品ユニットのベース部材の左側面に設けられた第２受容部付近の斜視図であって、第２係合突起を係合させる直前の状態を示す。
【図７】図６に対応する斜視図であって、第２係合突起が係合した状態を示す図である。
【符号の説明】
【００８６】
１        空気調和機
２        室外機
１０      電装品ユニット
２０      電装品箱
３０      ベース部材
３２      落下防止リブ（第２カバー支持手段）
３７      プリント基板
４０      カバー部材
４１      第１カバー
４２      第２カバー
４８      螺合部（上下カバー結合手段）
５０      係合部（着脱手段）
５３      係合突起
５４      突起受容部
６０      端子台（取手相当物）
【図２】
0004752833.tif 000002
【図３】
0004752833.tif 000003
【図４】
0004752833.tif 000004
【図５】
0004752833.tif 000005
【図６】
0004752833.tif 000006
【図７】
0004752833.tif 000007
【図１】
0004752833.tif 000008